(57)【要約】【課題】所定の電力以下となるようデマンド制御された運転から通常運転に移行する段階において十分な消費電力低減がなされていない。【解決手段】圧縮機１、室外熱交換器２、冷媒の循環方向を変更する四方弁３、冷媒の循環量を調整する膨張弁４、室内熱交換器５を冷媒配管で接続することで冷凍サイクルを形成し、さらに室外熱交換器の温度検出部６、前記室内熱交換器の温度検出部７、室外温度検出部８、室内温度検出部９、室内機・室外機の総合電流の検出を行う総合電流検出部１０を備えるデマンド制御機能を備えた空気調和機であって、デマンド運転開始信号を受信し設定デマンド運転開始後にデマンド運転終了信号を受信した場合、設定温度に近づくよう所定デマンドでの運転を行った後に通常運転に移行する。【選択図】図１
2014031949.tif 000002
【特許請求の範囲】
【請求項１】
圧縮機、室内熱交換器、室外熱交換器、冷媒の循環方向を変更する四方弁、前記冷媒の循環量を調整する膨張弁を冷媒配管で接続することで冷凍サイクルを形成し、少なくとも前記室内熱交換器の温度検出部、前記室外熱交換器の温度検出部、室内の温度を検出する室内温度検出部、室外の温度を検出する室外温度検出部、室内機・室外機の総合電流の検出を行う総合電流検出部を備える空気調和機であって、デマンド運転開始信号を受信し設定デマンド運転開始後にデマンド運転終了信号を受信した場合、所定デマンドでの運転を行った後に通常運転に移行することを特徴とするデマンド制御機能を備えた空気調和機。
【請求項２】
前記デマンド運転終了信号を受信した場合、前記所定デマンドでの運転について、継続時間を前記室内温度検出部にて検出した温度と設定温度との差分により変更することを特徴とする請求項１に記載のデマンド制御機能を備えた空気調和機。
【請求項３】
前記デマンド運転終了信号を受信した場合、前記所定デマンドでの運転について、デマンドを前記室内温度検出部にて検出した温度と設定温度との差分により変更することを特徴とする請求項１に記載のデマンド制御機能を備えた空気調和機。
【発明の詳細な説明】
【技術分野】
【０００１】
本発明はデマンド運転開始信号を受信し、設定デマンド運転開始後にデマンド運転終了信号を受信した場合、設定温度に近づくよう所定デマンドでの運転を行った後に通常運転に移行することで、通常運転移行時における急激な圧縮機周波数上昇による設定温度に対する室内温度のオーバーシュートを抑制し、消費電力の低減と安定化を実現することができるデマンド制御機能を備えた空気調和機に関するものである。
【背景技術】
【０００２】
従来、室外機は室外機制御装置、インバーター装置及び圧縮機を内蔵しており、室外機制御装置はデマンド装置に接続されており、そして、インバーター装置は電流センサーを内蔵している。室外機が内蔵している室外機制御装置を基点とし、伝送線を介して、複数の室内機が直列に接続されている。具体的には、その伝送線は、それぞれの室内機の室内機制御装置に接続されている。また、それぞれの室内機制御装置には、リモートコントローラーが接続されている。
【０００３】
従来の機器構成では、圧縮機等に流れる室外機を構成する電気機器の全電流を検出する電流センサーによって検出された電流と室外制御装置で設定する運転電圧との積により電力を算出することによって、より実際の値に近い電力値によってデマンド制御を実施することができ、ユーザーが希望する電力値に近い電力値になるような制御を行っていた（特許文献１を参照）。
【先行技術文献】
【特許文献】
【０００４】
【特許文献１】特開２０１０−１７５０９８号公報
【発明の概要】
【発明が解決しようとする課題】
【０００５】
従来の機器構成では、空気調和機の運転電力がデマンド制御信号により設定した運転電力以下となるように圧縮機の運転周波数を制御することで消費電力の低減を行っていたが、所定の電力以下となるようデマンド制御された運転から通常運転に移行する段階において十分な消費電力の低減がなされていない。
【課題を解決するための手段】
【０００６】
そこで、本発明ではデマンド制御された運転から通常運転に移行する段階において消費電力の低減が可能となる制御を行なうために、本発明は、デマンド運転開始信号を受信し設定デマンド運転開始後にデマンド運転終了信号を受信した場合、設定温度に近づくよう所定デマンドでの運転を行った後に通常運転に移行する制御を行うものである。
【０００７】
これによって、通常運転移行時における急激な圧縮機周波数上昇による設定温度に対する室内温度のオーバーシュートを抑制し、消費電力の低減と安定化を実現することができる。
【０００８】
また本発明の空気調和機は、前記デマンド運転終了信号を受信した場合、前記所定デマンドでの運転について、継続時間を室内温度検出部にて検出した温度と設定温度との差分により変更するものである。
【０００９】
これによって、通常運転移行時における設定温度に対する室内温度のオーバーシュート
を抑制し消費電力の低減と安定化をさらに実現することができる。
【００１０】
さらに本発明の空気調和機は、前記デマンド運転終了信号を受信した場合、前記所定デマンドでの運転について、デマンドを前記室内温度検出部にて検出した温度と設定温度との差分により変更するものである。
【００１１】
これによって、通常運転移行時における設定温度に対する室内温度のオーバーシュートを抑制し消費電力の低減と安定化をさらに実現することができる。
【発明の効果】
【００１２】
本発明によれば、デマンド運転開始信号を受信し設定デマンド運転開始後にデマンド運転終了信号を受信した場合、設定温度に近づくよう所定デマンドでの運転を行った後に通常運転に移行することで、通常運転移行時における急激な圧縮機周波数上昇による設定温度に対する室内温度のオーバーシュートを抑制し、消費電力の低減と安定化を実現することができる。
【図面の簡単な説明】
【００１３】
【図１】本発明における空気調和機の冷凍サイクルの構成図
【図２】本発明における空気調和機の制御方法の概略図
【図３】本発明における空気調和機の制御フロー図
【発明を実施するための形態】
【００１４】
第１の発明は、デマンド運転開始信号を受信し設定デマンド運転開始後にデマンド運転終了信号を受信した場合、設定温度に近づくよう所定デマンドでの運転を行った後に通常運転に移行することにより、通常運転移行時における急激な圧縮機周波数上昇による設定温度に対する室内温度のオーバーシュートを抑制し、消費電力の低減と安定化を実現することができる。
【００１５】
第２の発明は、前記デマンド運転終了信号を受信した場合、前記所定デマンドでの運転について、継続時間を前記室内温度検出部にて検出した温度と設定温度との差分により変更することにより、通常運転移行時における急激な圧縮機周波数上昇による設定温度に対する室内温度のオーバーシュートを抑制し、消費電力の低減と安定化を実現することができる。
【００１６】
第３の発明は、前記デマンド運転終了信号を受信した場合、前記所定デマンドでの運転について、デマンドを前記室内温度検出部にて検出した温度と設定温度との差分により変更することにより、通常運転移行時における急激な圧縮機周波数上昇による設定温度に対する室内温度のオーバーシュートを抑制し、消費電力の低減と安定化を実現することができる。
【００１７】
以下、本発明の実施の形態について、図面を参照しながら説明する。なお、この実施の形態によって本発明が限定されるものではない。
【００１８】
（実施の形態１）
図１は、本発明における空気調和機の冷凍サイクルの構成図である。
【００１９】
図１において、空気調和機は、圧縮機１、室外熱交換器２、冷媒の循環方向を変更する四方弁３、冷媒の循環量を調整する膨張弁４、室内熱交換器５を冷媒配管で接続することで冷凍サイクルを形成しており、さらに室外熱交換器２の温度検出部６、室内熱交換器５の温度検出部７、室外温度検出部８、室内温度検出部９、室内機・室外機の総合電流の検
出を行う総合電流検出部１０を備えている。
【００２０】
以上のように構成された空気調和機について、以下その動作、作用を説明する。
【００２１】
図２は本発明における空気調和機の制御方法の概略図（横軸は時間（ｓ）、縦軸は電流値（Ａ）、圧縮機１の周波数（Ｈｚ））である。また、図３は本発明における空気調和機の制御フローの概略図である。
【００２２】
図３において、通常運転開始信号を受信し（ＳＴ０）、通常運転中（ＳＴ１）に使用者からリモコンなどを通じてデマンド運転開始信号が送られた場合、空気調和機はデマンド運転開始信号を受信し（ＳＴ２）、設定デマンドでの運転を開始する。
【００２３】
ここで運転中に総合電流検出部１０により検出された電流値に基づき圧縮機１の周波数を制御し消費電力が設定デマンドとなるよう運転を行う（ＳＴ３）。
【００２４】
その後、使用者が設定した設定デマンドでの運転中に使用者からデマンド運転終了信号を受信した場合（ＳＴ４）、室内温度検出部９により検出した室内温度が設定温度に近づくよう、総合電流検出部１０により検出された電流値に基づき圧縮機１の周波数を制御し所定デマンドでの運転を行う（ＳＴ５）。図２に示すように、デマンド運転終了信号を受信した後に、通常運転に移行する前に所定デマンドでの運転を行う期間が存在する。
【００２５】
前記所定デマンド運転終了後に（ＳＴ６）、総合電流検出部１０により検出された電流値に基づき通常運転に移行する。
【００２６】
これにより通常運転移行時における急激な圧縮機周波数上昇による設定温度に対する室内温度のオーバーシュートを抑制し消費電力の低減と安定化を実現することができる。
【００２７】
（実施の形態２）
実施の形態１で説明したように、使用者が設定した設定デマンドでの運転中に使用者からデマンド運転終了信号を受信した場合（ＳＴ４）、室内温度検出部９により検出した室内温度が設定温度に近づくよう、総合電流検出部１０により検出された電流値に基づき所定デマンドでの運転を行うが（ＳＴ５）、この継続時間を室内温度検出部９にて検出した温度と設定温度との差分により変更する。
【００２８】
所定デマンド運転終了後に（ＳＴ６）、総合電流検出部１０により検出された電流値に基づき通常運転に移行する。
【００２９】
これにより、より室内温度を設定温度に近づけた状態でデマンド運転から通常運転へと移行をスムーズに行うことができるため、通常運転移行時における急激な圧縮機周波数上昇による設定温度に対する室内温度のオーバーシュートを抑制し、消費電力の低減と安定化を実現することができる。
【００３０】
（実施の形態３）
実施の形態１で説明したように、使用者が設定した設定デマンドでの運転中に使用者からデマンド運転終了信号を受信した場合、室内温度検出部９により検出した室内温度が設定温度に近づくよう、総合電流検出部１０により検出された電流値に基づき所定デマンドでの運転を行うが（ＳＴ５）、このデマンドを室内温度検出部９にて検出した温度と設定温度との差分により変更する。
【００３１】
所定デマンド運転終了後に（ＳＴ６）、総合電流検出部１０により検出された電流値に
基づき通常運転に移行する。
【００３２】
これにより、より室内温度を設定温度に近づけた状態でデマンド運転から通常運転へと移行をスムーズに行うことができるため、通常運転移行時における急激な圧縮機周波数上昇による設定温度に対する室内温度のオーバーシュートを抑制し、消費電力の低減と安定化を実現することができる。
【産業上の利用可能性】
【００３３】
以上のように、本発明にかかるデマンド制御機能を備えた空気調和機は、デマンド運転開始信号を受信し設定デマンド運転開始後にデマンド運転終了信号を受信した場合、設定温度に近づくよう所定デマンドでの運転を行った後に通常運転に移行することで、通常運転移行時における急激な圧縮機周波数上昇による設定温度に対する室内温度のオーバーシュートを抑制し消費電力の低減と安定化を実現することができるため、圧縮機運転周波数が可変で総合電流検出部を有する空気調和機に適用することができる。
【符号の説明】
【００３４】
１  圧縮機
２  室外熱交換器
３  四方弁
４  膨張弁
５  室内熱交換器
６  室外熱交換器の温度検出部
７  室内熱交換器の温度検出部
８  室外温度検出部
９  室内温度検出部
１０  総合電流検出部
【図１】
2014031949.tif 000003
【図２】
2014031949.tif 000004
【図３】
2014031949.tif 000005